(57)【要約】【課題】  機器との連結に際して、サイドアプリケーション装置を持ち上げる労力を軽減する構成を、新たな部品や複雑な構造を必要とせずに、低コストで提供する。【解決手段】  機器３側面に懸架状態で連結されるサイドアプリケーション装置１において、その下面に角取り形状部１−１を形成した。【選択図】        図２
2005234060.tif 000002
【特許請求の範囲】
【請求項１】
機器側面に懸架状態で連結されるサイドアプリケーション装置であってその底面に転動部材を有しないものにおいて、その底面の一端縁寄りに角取り形状部を備えていることを特徴とするサイドアプリケーション装置。
【請求項２】
請求項１に記載のサイドアプリケーション装置において、角取り形状部は、サイドアプリケーション装置本体が自立できる面積を有することを特徴とするサイドアプリケーション装置。
【請求項３】
請求項１に記載のサイドアプリケーション装置において、角取り形状部に、出没可能なリブを設けたことを特徴とするサイドアプリケーション装置。
【請求項４】
請求項１および３に記載のサイドアプリケーション装置において、角取り形状部面およびリブ面に低摩擦部材を貼り付けたことを特徴とするサイドアプリケーション装置。
【請求項５】
機器側面に懸架状態で連結されるサイドアプリケーション装置であってその底面に転動部材を有しないものにおいて、その底面に取り外し可能な足を設けたことを特徴とするサイドアプリケーション装置。
【請求項６】
請求項５に記載のサイドアプリケーション装置において、足は高さが調整可能であることを特徴とするサイドアプリケーション装置。
【請求項７】
請求項５に記載のサイドアプリケーション装置において、足は前後方向に移動可能であることを特徴とするサイドアプリケーション装置。
【発明の詳細な説明】
【技術分野】
【０００１】
本発明は、画像形成装置、その他の電子機器に連結されるサイドアプリケーション装置に関する。
【背景技術】
【０００２】
画像形成装置などに連結して使用されるサイドアプリケーション装置は、通常装置底面にキャスタ及び高さ調整アジャスタが付いている。このため両装置のドッキングに際しては、（１）サイドアプリケーション装置を移動させて両装置を近づけ、アジャスタにより両者の高さを合わせてドッキングするか（例えば、特許文献１、２等参照）、またはキャスタが無い場合には、（２）画像形成装置側もしくはサイドアプリケーション装置側に設けられた引出し収納可能、または外部取り付け型のレールなどの取り付け器具を用いて、画像形成装置側にサイドアプリケーション装置を抱き込むようにする方法、（３）サイドアプリケーション装置を人が手で持ち上げつつドッキング口を合わせ、本体（画像形成装置）に吊り下げる方法、などが一般的である。
【特許文献１】特開平１０−４５２６８号公報
【特許文献２】特開２０００−１５８９２公報
【発明の開示】
【発明が解決しようとする課題】
【０００３】
しかし（１）、（３）の方法では、サイドアプリケーション装置の高さ調整時の持ち上げ労力と、調整に時間がかかる問題がある。また装置の小型化などによりサイドアプリケーション装置側にキャスタを取り付けるための高さが取れない場合にはこの方法を取ることができない。
（２）の方法ではサイドアプリケーション装置の運搬労力が大きく、高コストになる。また取り付け器具が大きいため収納スペースが取れない問題がある。
本発明の目的は、機器（例えば画像形成装置）に懸架して使用するサイドアプリケーション装置の機器との連結に際して、サイドアプリケーション装置を持ち上げる労力を軽減する構成を、新たな部品や複雑な構造を必要とせずに、低コストで提供することにある。
【課題を解決するための手段】
【０００４】
上記目的を達成するために、請求項１記載の発明は、機器側面に懸架状態で連結されるサイドアプリケーション装置において、その下面に角取り形状部を形成したサイドアプリケーション装置を最も主要な特徴とする。
請求項２記載の発明は、請求項１に記載のサイドアプリケーション装置において、角取り形状部は、サイドアプリケーション装置本体が自立できる面積を有するサイドアプリケーション装置を主要な特徴とする。
請求項３記載の発明は、請求項１に記載のサイドアプリケーション装置において、角取り形状部に、出没可能なリブを設けたサイドアプリケーション装置を主要な特徴とする。
請求項４記載の発明は、請求項１および３に記載のサイドアプリケーション装置において、角取り形状部面およびリブ面に低摩擦部材を貼り付けたサイドアプリケーション装置を主要な特徴とする。
請求項５記載の発明は、機器側面に懸架状態で連結されるサイドアプリケーション装置において、その下面に取り外し可能な足を設けたサイドアプリケーション装置を最も主要な特徴とする。
請求項６記載の発明は、請求項５に記載のサイドアプリケーション装置において、足は高さが調整可能であるサイドアプリケーション装置を主要な特徴とする。
請求項７記載の発明は、請求項５に記載のサイドアプリケーション装置において、足は前後方向に移動可能であるサイドアプリケーション装置を主要な特徴とする。
【発明の効果】
【０００５】
本発明は、機器側面に懸架状態で連結されるサイドアプリケーション装置において、その下面に角取り形状部を形成したことにより、あるいは、機器側面に懸架状態で連結されるサイドアプリケーション装置において、その下面に取り外し可能な足を設けたことにより、所期の目的を達成することができる。
【発明を実施するための最良の形態】
【０００６】
以下、本発明の実施の形態を図面に従って説明する。
図１は本発明の第１の実施形態に係るサイドアプリケーション装置の外観斜視図、図２は図１のサイドアプリケーション装置を床面に設置した状態を示す図、図３は図１のサイドアプリケーション装置を機器に連結する前の状態を示す図、図４は図１のサイドアプリケーション装置を機器に連結した後の状態を示す図である。
図１に示すように、サイドアプリケーション装置１は、キャスタ等の転動部材を有しておらず、その底面の一端縁寄りの領域に矩形の傾斜面から成る角取り形状部１−１を有している。そして図２に示すように、サイドアプリケーション装置１を傾け、角取り形状部１−１を床面２に当接して、サイドアプリケーション装置１を床面２に設置した状態にする（角取り形状部１−１は、角取り形状部１−１を床面に接地した状態で、サイドアプリケーション装置１が支えなしで自立することができる面積、傾斜角度を有している）。
この状態でサイドアプリケーション装置１を床面に沿って滑らせ、図３に示すように機器３に近付ける。機器３は連結ピン４と連結用器具５をその側面に突出して設けている。連結用器具５によりサイドアプリケーション装置１を規制しながら、連結ピン４に、図示していないサイドアプリケーション装置１の連結口を突き当てる。つまり、連結ピン４を連結口に挿入し得る状態に移行させる。
そして、突き当てた後、支点１ａを中心として図３の矢印Ｆに示す向きにサイドアプリケーション装置１を押して起こすと、サイドアプリケーション装置１は連結ピン４の傾斜に沿って持ち上がり、図４に示すように、機器３にサイドアプリケーション装置１が懸架された状態で両者は連結される。
この時、持上り量Ｅは（Ｃ−Ｄ）ｔａｎ（Ｂ）＋（１−１／ｃｏｓ（Ｂ））Ｇ＋Ａ／２と表される。尚、連結ピン４及び連結用器具５は機器３に対して着脱可能であり、サイドアプリケーション装置１を取り付けずに機器３のみで使用する場合は取り外して使用する構成になっている。
【０００７】
図５は図１に示すサイドアプリケーション装置の透視正面図である。フレーム１−２を角取り形状にすることなしに、角取り形状部１−１を形成することができる。つまり、フレーム１−２については、機器との連結のための加工を行う必要が無く、外装部を構成する構造体にのみ角取り形状部１−１を形成する。
図６は図１に示すサイドアプリケーション装置の第１の変形例に係るサイドアプリケーション装置の外観斜視図、図７、図８は図６に示すサイドアプリケーション装置の正面図である。
図６に示すように、角取り形状部１−１に出没可能なリブ６を設ける。リブ６は、滑動性を有した低摩擦材質、形状とする。リブ６を出す時は図７に示すように、側面から出ているつまみ７を下げる。つまみ７はロック機構により下げた状態を保つ仕組みになっている。またリブ６を内部にしまう時は、つまみ７のロック状態を解くと、バネの復元力により図８に示すようにつまみ７は上向きに戻る仕組みになっている。リブ６によりサイドアプリケーション装置１が床面２を滑り易くなり、搬送性が向上する。
図９は図１に示すサイドアプリケーション装置の第２の変形例に係るサイドアプリケーション装置の外観斜視図である。角取り形状部１−１面に低摩擦部材８を貼る。このようにすることで、サイドアプリケーション装置１の床面に対する滑性をさらに高めている。
図１０は図６に示すサイドアプリケーション装置の第１の変形例に係るサイドアプリケーション装置の外観斜視図である。角取り形状部１−１面のリブ６に低摩擦部材８を貼る。このようにすることで、サイドアプリケーション装置１の床面に対する滑性をさらに高めている。
【０００８】
図１１は本発明の第２の実施形態に係るサイドアプリケーション装置を機器に連結する前の状態を示す図、図１２は図１１に示すサイドアプリケーション装置の足の高さ調整機構を示す図、図１３は図１１に示すサイドアプリケーション装置の足を前後方向に移動する様子を示す図、図１４は図１１に示すサイドアプリケーション装置の足を前後方向に移動する機構を示す図である。
サイドアプリケーション装置１の傾斜は、機器３寄りの底面に足９を図１１に示すように、底面に取り付けることで確保する。機器３との連結方法については第１の実施形態の場合と同様である。本構成における持上り量はＣｓｉｎ（Ｂ）＋Ｆｃｏｓ（Ｂ）−Ｆ＋Ａ／２と表される。
足９はその高さを調整できる。図１２に示すように、サイドアプリケーション装置１内にピッチ１ｍｍの引っ掛け付きの垂直付きレール１０があり、足９にはそのレール１０に引っ掛けるための図示していない出っ張りが設けてある。出っ張りは図１１に示すように足９をつまむと引っ込み、レール１０内に足を入れることができるようになる。
また足９を図１３に示すように、前後方向に動かし固定できる構成にする。図１４は本構成の一例で、サイドアプリケーション装置１内に引掛け付きの水平レール１１を配置する。
本実施の形態によれば、サイドアプリケーション装置１に角取り形状部を形成する工程を省くことができ、また、足９の高さ、位置を調整することで、サイドアプリケーション装置１は自由に姿勢を変えることができ、各種規格のサイドアプリケーション装置１と機器３に容易に対応することができる。
【図面の簡単な説明】
【０００９】
【図１】本発明の第１の実施形態に係るサイドアプリケーション装置の外観斜視図。
【図２】図１のサイドアプリケーション装置を床面に設置した状態を示す図。
【図３】図１のサイドアプリケーション装置を機器に連結する前の状態を示す図。
【図４】図１のサイドアプリケーション装置を機器に連結した後の状態を示す図。
【図５】図１に示すサイドアプリケーション装置の透視正面図。
【図６】図１に示すサイドアプリケーション装置の第１の変形例に係るサイドアプリケーション装置の外観斜視図。
【図７】図６に示すサイドアプリケーション装置の正面図。
【図８】図６に示すサイドアプリケーション装置の正面図。
【図９】図１に示すサイドアプリケーション装置の第２の変形例に係るサイドアプリケーション装置の外観斜視図。
【図１０】図６に示すサイドアプリケーション装置の第１の変形例に係るサイドアプリケーション装置の外観斜視図。
【図１１】本発明の第２の実施形態に係るサイドアプリケーション装置を機器に連結する前の状態を示す図。
【図１２】図１１に示すサイドアプリケーション装置の足の高さ調整機構を示す図。
【図１３】図１１に示すサイドアプリケーション装置の足を前後方向に移動する様子を示す図。
【図１４】図１１に示すサイドアプリケーション装置の足を前後方向に移動する機構を示す図。
【符号の説明】
【００１０】
１  サイドアプリケーション装置
１−１  角取り形状部
１−２  フレーム
２  床面
３  機器
【図１】
2005234060.tif 000003
【図２】
2005234060.tif 000004
【図３】
2005234060.tif 000005
【図４】
2005234060.tif 000006
【図５】
2005234060.tif 000007
【図６】
2005234060.tif 000008
【図７】
2005234060.tif 000009
【図８】
2005234060.tif 000010
【図９】
2005234060.tif 000011
【図１０】
2005234060.tif 000012
【図１１】
2005234060.tif 000013
【図１２】
2005234060.tif 000014
【図１３】
2005234060.tif 000015
【図１４】
2005234060.tif 000016